(57)【要約】【課題】携帯電話機等の通信装置に関し、着信時に着信音による通知と、振動による通知とを設定条件に対する着信状態に応じて自動的に切替える。【解決手段】着信があった際に、第１のモードとしての着信音による通知又は第２のモードとしての振動による通知を行うことが可能な通信装置であって、設定条件の例えば経過時間について、その設定経過時間を過ぎると、第２のモードとしての振動による着信の通知から、第１のモードとしての着信音による着信の通知に切替える制御を行う制御部を備えている。【選択図】図１
2007053813.tif 000002
【特許請求の範囲】
【請求項１】
着信があった際に着信音による通知又は振動による通知を行うことが可能な通信装置に於いて、
設定された時間の経過を検出すると、前記振動による着信の通知から前記着信音による着信の通知に切替える制御を行う制御部
を備えたことを特徴とする通信装置。
【請求項２】
着信があった際に着信音による通知を行う第１のモードと、着信があった際に振動による通知を行う第２のモードとを備えた通信装置に於いて、
前記第１のモードと前記第２のモードとの他に、設定された時間の経過後に振動により通知を行うモードから着信により通知を行うモードに自動的に切替えるモードの選択を可能とし、選択されたモードに従った制御を行う制御部
を備えたことを特徴とする通信装置。
【請求項３】
第１の動作が許容された状態で、特定の電話番号から所定回数の着信があった場合に、前記第１の動作を禁止する制御を行う制御部
を備えたことを特徴とする通信装置。
【請求項４】
前記制御部は、前記第１の動作の禁止を、前記第１の動作に代えて第２の動作を許容するように制御する制御部
を備えたことを特徴とする通信装置。
【発明の詳細な説明】
【技術分野】
【０００１】
本発明は、着信時に、ブザー，メロディー等で通知する着信音通知と、振動によって通知する振動通知とを、自動的に切替えることができる携帯電話機等の通信装置に関する。
【背景技術】
【０００２】
通信装置は、例えば、図９に示す構成を有するものであり、５１は制御部、５２は信号処理部、５３は無線部、５４は送話器、５５は受話器、５６は操作部、５７はモード選択部、５８は着信音発生部、５９はスピーカ、６０は駆動部、６１は振動部、６２はアンテナを示す。
【０００３】
制御部５１は、各部を制御すると共に、例えば、制御チャネルを介して発信及び着信の制御を行うものである。又信号処理部５２は、送話器５４からの音声信号の符号化等を行うと共に、復号化等の処理により再生した音声信号を受話器５５に送出する。この制御部５１と信号処理部５２との機能は、ディジタル・シグナル・プロセッサ（ＤＳＰ）等の処理機能によって実現することもできる。
【０００４】
又アンテナ６２を接続した無線部５３は、高周波増幅器や変復調器等を含み、時分割多重通信方式や符号分割多重通信方式等の携帯電話システムに対応した構成の無線送受信機能を備えている。又操作部５６は、ダイヤルキー等を含み、相手電話番号の入力等を行うものである。又モード選択部５７は、着信時の通知を、通常の音で行う着信音通知モードか、又は振動で行う振動通知モードかを選択するものである。
【０００５】
又制御部５１は、モード選択部５７により例えば着信音通知モードを設定した場合、着信を検出すると、着信音発生部５８を制御してスピーカ５９からメロディー等による着信音を送出させる。又振動通知モードを設定した場合、着信時に、駆動部６０を制御して振動部６１から振動を発生させる。この振動部６１は、例えば、不平衡回転体を有するモータを回転させて振動を発生させる構成等を適用することができる。
【０００６】
図１０は従来例のフローチャートであり、通信装置として携帯電話機について説明する。先ず、携帯電話機に於ける着信通知方法を選択する（Ｆ１）。即ち、振動通知モード（Ｆ２）か、又は着信音通知モード（Ｆ３）かの何れかを選択する。そして、選択されたモードで待ち受け状態（Ｆ４）を継続する。この待ち受け状態で着信があると、選択されたモードに従って振動部６１を駆動させて通知するか、又はスビーカ５９からメロディー等を発生させて通知することになる。
【０００７】
又振動通知モードを選択した時に、携帯電話機を身体から離してバッグ等に入れている場合、振動による着信通知を認識できないことになる。そこで、所定時間以上継続して振動によって着信通知を行っても応答しない場合に、制御部５１に於いて着信音通知モードに切替える構成が知られている（例えば、特許文献１参照）。
【０００８】
又無通知モードと着信音通知モードとの選択を可能とし、無通知モードを選択した場合、着信時には着信音を発生させないが、特定の発信者番号についてのみ着信音通知モードに切替えて、着信音による通知を行う構成も知られている（例えば、特許文献２参照）。
【特許文献１】特開平８−１８１７３号公報
【特許文献２】特開平１０−１７３７７１号公報
【発明の開示】
【発明が解決しようとする課題】
【０００９】
着信音通知モードと振動音通知モードとを選択できる携帯電話機等の通信装置に於いて、振動音通知モードを選択した時は、携帯電話機等の通信装置を衣服のポケットに入れる等の身体に振動が伝達できる状態で携帯する必要がある。これに対して、着信音通知モードを選択した時は、身体から離れた位置に携帯電話機等の通信装置を置いても、着信音により着信を認識することができる。しかし、この着信音が周囲の他人に迷惑となる各種の場所があり、そのような場所に於いては、振動通知モードを選択することになる。
【００１０】
この振動通知モードを選択した後、通常の着信音で着信を通知しても良い環境となった場合、又はバッグ等に収納した場合、着信音通知モードに切替えることを忘れることがある。このような状態に於いて、緊急な通話の為の着信があってもそれを認識できない問題がある。
【００１１】
本発明は、従来例の問題点を解決するもので、振動による着信通知のモードと、着信音による着信通知のモードとを、設定条件に応じて自動的に切替えて、特定の相手又は緊急時の着信応答を可能とすることを目的とする。
【課題を解決するための手段】
【００１２】
本発明の通信装置は、着信があった際に着信音による通知又は振動による通知を行うことが可能な通信装置であって、設定された時間の経過を検出すると、振動による着信の通知から、着信音による着信の通知に切替える制御を行う制御部を備えている。
【００１３】
又着信があった際に着信音による通知を行う第１のモードと、着信があった際に振動による通知を行う第２のモードとを備えた通信装置であって、第１のモードと第２のモードとの他に、設定された時間の経過後に振動により通知を行うモードから着信により通知を行うモードに自動的に切替えるモードの選択を可能とし、選択されたモードに従った制御を行う制御部を備えている。
【００１４】
又第１の動作が許容された状態で、特定の電話番号から所定回数の着信があった場合に、前記第１の動作を禁止する制御を行う制御部を備えている。
【００１５】
又制御部は、第１の動作の禁止を、この第１の動作に代えて第２の動作を許容するように制御する制御部を備えている。
【発明の効果】
【００１６】
本発明は、振動による着信通知と、着信音による着信通知とを、無応答回数や経過時間等の条件を設定して、この設定条件を満たす場合に、振動通知モードから着信音通知モードに自動的に切替える制御を行う制御部により、振動通知モードから着信音通知モードへの切替えを忘れた場合等に於いても、例えば、特定の電話番号からの着信に対する無応答の連続回数が設定回数に達した時や設定時間が経過した時に、自動的に着信音通知モードに切替えて、着信を通知することができる。従って、着信音の鳴動防止を設定した場合でも、設定条件に応じて、自動的に解除することができる。
【発明を実施するための最良の形態】
【００１７】
本発明の通信装置は、着信があった際に着信音による通知又は振動による通知を行うことが可能な通信装置であって、設定された時間の経過を検出すると、振動による着信の通知から、着信音による着信の通知に切替える制御を行う制御部を備えている。
【実施例１】
【００１８】
図１は本発明の実施例１の要部説明図であり、携帯電話機等の通信装置の要部を示すものであって、１は制御部、２は信号処理部、３は無線部、４は送話器、５は受話器、６は操作部、７はモード選択部、８は着信音発生部、９はスピーカ、１０は駆動部、１１は振動部、１２はアンテナ、１３はメモリ、１４は表示部、１５はタイマを示す。
【００１９】
モード選択部７により第１のモードとしての着信音通知モードと第２のモードとしての振動通知モードと自動切替モードとの選択を行う。制御部１は、その選択結果に従って、着信時に、着信音通知モードの場合は、着信音発生部８で発生させたメロディー等をスピーカ９により再生して着信を通知する。又振動通知モードの場合は、駆動部１０を制御して振動部１１から振動を発生させて着信を通知する。又自動切替モードの場合、設定条件に従って、振動通知モードから着信音通知モードに切替えて着信を通知する。
【００２０】
自動切替モードは、不特定の発信者又は特定の発信者からの着信に対してＭ回の無応答が連続した時、又は指定された時間が経過した時に、着信音通知モードに切替えるものであり、その自動切替モードを選択する場合は、発信者の不特定又は特定の選択と、特定の場合の発信者番号と、無応答の回数Ｍとを設定する。或いは、経過時間を設定する。これらの設定は、表示部１４等によるガイダンスに従って操作部６により行うことができる。又メモリ１３に、操作部６により設定した設定データ，着信履歴としての着信データセット，自動切替モード時に使用する検索データセット等を制御部１の制御に従って格納する。なお、無応答の設定回数Ｍは、Ｍ≧２とする。
【００２１】
従って、モード選択部７により自動切替モードを選択すると、第１の動作としての振動通知により着信を通知し、それに対して応答しないことがＭ回以上継続すると、或いは、設定時間経過後は、次の着信に対して、第２の動作としての着信音通知に切替えて、スピーカ９から着信音を発生させて着信を通知する。従って、振動通知モードから着信音通知モードの切替えを忘れた場合に、自動的に着信音通知モードに切替えることができる。
【００２２】
図２は本発明の実施例１の動作フローチャートであり、着信通知方法選択（Ａ１）として、振動通知モードと自動切替モードと着信音通知モードとの何れかを選択する。振動通知モードを選択した場合、振動通知モードで待ち受け状態とする（Ａ２）。そして、着信の有無を判定し（Ａ３）、着信ありの場合は、振動部１１による振動によって着信通知を行う（Ａ４）。又着信音通知モードを選択した場合、着信音通知モードで待ち受け状態とする（Ａ５）。そして、着信の有無を判定し（Ａ６）、着信ありの場合は、スピーカ９による着信音によって着信通知を行う（Ａ７）。
【００２３】
又自動切替モードを選択すると、着信回数Ｎ＝０とし（Ａ８）、待ち受け状態（Ａ９）として着信の有無を判定する（Ａ１０）。着信ありの場合、Ｎ＝Ｎ＋１とし（Ａ１１）、前述の設定の回数Ｍと着信回数Ｎとを比較する（Ａ１２）。Ｍ＞Ｎの場合、振動による着信通知を行い（Ａ１３）、応答の有無を判定し（Ａ１５）、応答なしの場合は、ステップ（Ａ９）に移行し、又応答ありの場合は、Ｎ＝０とし（Ａ１６）、通話が行われることになる（Ａ１７）。
【００２４】
又応答なしがＭ回連続すると、ステップ（Ａ１２）に於いてＭ＝Ｎの関係となる。この場合は、振動から着信音に切替えて、着信通知を行う（Ａ１４）。この着信通知によっても無応答の場合、ステップ（Ａ１１）に於いてＮ＋１となるから、次の着信時のステップ（Ａ１２）に於いては、Ｍ＜Ｎの関係となり、着信音通知による着信通知を継続して行うことになる（Ａ１４）。
【００２５】
従って、振動通知モードとして着信の通知を行い、それに対して無応答が設定回数Ｍ連続した場合は、自動的に着信音通知モードに切替えて着信通知を行うことができる。従って、通常の着信音通知モードに切替えることを忘れ、且つ身体から離して携帯電話機をバッグ等に入れている場合でも、着信に対する無応答回数が設定回数Ｍとなると、自動的に着信音通知モードとなってスピーカ９からの着信音で着信を通知することができる。
【００２６】
図３はデータセットの説明図であり、携帯電話機のメモリ１３（図１参照）に形成された着信データセット（Ａ）と、検索データセット（Ｂ）とを示す。着信データセットは、１〜Ｚ個の着信時の発信者ＩＤ（発信者番号）と日時と応答の有無（“１”，“０”）とを記録したものである。この場合、番号１の着信データセットが最も古く、番号Ｚの着信データセットが最も新しいものである。又検索データセットは、自動切替モード設定時から、１〜（Ｍ−１）個の着信時の発信者ＩＤ（発信者番号）と日時と応答の有無とを着信データセットから抽出して設定したものである。この検索データセットも、番号１が最も古く、番号Ｍ−１が最も新しいものである。
【００２７】
図４は初期設定のフローチャートを示し、自動切替モードを選択した場合に於いて、着信何回で切替えるかを判断し（Ｂ１）、キー（図１に於ける操作部６）による数字の入力を行って入力完了か否かを判定し（Ｂ２）、入力完了によりメモリ１３（図１参照）に記憶する（Ｂ３）。又同一電話番号からＭ回かかってきた時に切替える場合は“１”、電話番号は不特定でＭ回かかってきた時に切替える場合は“０”として設定する（Ｂ４）。この“１”又は“０”の入力の有無を判定し（Ｂ５）、入力完了の場合にメモリ１３に記憶する。又何分以内の着信に対して自動切替えの処理を行うか判断し（Ｂ７）、その数値を入力して入力完了か否か判定する（Ｂ８）。入力完了の場合、メモリ１３に記憶するもので、この場合、検索データセットの最も古い時間と、現着信による検索データセットとの時間との時間間隔が所定時間以上の場合に、最も古い時間の検索データセットは、無応答回数としてカウントしないように時間間隔を設定して、メモリ１３に記憶する（Ｂ９）。
【００２８】
即ち、自動切替モードとする時に、振動通知モードで着信を通知しても無応答が継続する場合があるから、着信音通知モードに切替える為の回数Ｍを設定する。そして、同一の電話番号からの着信か、又は不特定の電話番号からの着信の場合かを設定する。或いは、特定の電話番号を設定し、この特定の電話番号からの着信の回数Ｍを設定する。又自動切替モードに設定してからの経過時間を設定することもできる。
【実施例２】
【００２９】
図５及び図６は本発明の実施例２のフローチャートを示し、着信通知方法の選択（Ｃ１）により、例えば、振動通知モードを選択した時は、待ち受け状態（Ｃ２）として着信の有無を判定し（Ｃ３）、着信時は振動による着信通知を行う（Ｃ４）。又着信音通知モードを選択した時は、待ち受け状態（Ｃ５）として着信の有無を判定し（Ｃ６）、着信時は着信音による着信通知を行う（Ｃ７）。
【００３０】
又自動切替モードを選択した時は、待ち受け状態とし（Ｃ８）、着信の有無を判定する（Ｃ９）。着信ありの場合は、発呼者番号通知による発信者電話番号を制御部１（図１参照）により抽出し、その着信日時を制御部１のカレンダ機能により検出し（Ｃ１０）、発信者ＩＤ，日時を含む着信データセットＤＡＴＡ１として登録する（Ｃ１１）。この時、着信データセットＤＡＴＡ１は、新しい日時の着信データから優先して記憶され、着信データセットに記憶できる最大のデータセット数Ｚに応じて必要ならば一番古いデータセットは消去される。
【００３１】
そして、Ｓ＝１か否かを判定する（Ｃ１２）。即ち、図４のステップ（Ｂ４）により設定した同一電話番号からの着信による切替え（“１”）か、不特定電話番号からの着信による切替え（“０”）かの設定をＳとして示し、Ｓ＝１は同一番号からの着信による切替えを示す。又、Ｓ＝０の場合、即ち、不特定電話番号からの着信による切替えを設定した場合は、着信データセット（ＤＡＴＡ１）の日時が新しい順に検索データセット（ＤＡＴＡ２）とする（Ｃ１３）。例えば、図３の（Ａ）の着信データセットから（Ｂ）に示すように、日時が新しい順に（Ｍ−１）個の着信データセットを検索データセットとして登録する。
【００３２】
又Ｓ＝１の場合、即ち、同一電話番号からの着信による切替えを設定した場合は、着信データセット（ＤＡＴＡ１）から発信者ＩＤが一致するものを、日時が新しい順に抽出して検索データセット（ＤＡＴＡ２）として登録する（Ｃ１４）。そして、ＤＡＴＡ２（検索データセット）と初期設定値とを比較する（Ｃ１５）。若し、全検索データセット数がＭ−１個存在し、且つその応答データが総て０であり、その着信日時が現時刻のＰ分前より新しい場合は、自動切替えの設定条件を示すことになるから、比較結果は総ての条件を満たすことにより、着信音通知に切替えて着信を通知する（Ｃ１７）。
【００３３】
又ステップ（Ｃ１５）に於いて、条件を満たさない場合、振動通知モードを継続し、今回の着信については振動で通知する（Ｃ１６）。そして、応答の有無を監視し（Ｃ１８）、応答なしの場合は、着信データセットＤＡＴＡ１の応答の欄に“０”を設定する（Ｃ２１）。そして、待ち受け状態のステップ（Ｃ８）に移行する。又応答ありの場合は、着信データセットＤＡＴＡ１の応答の欄に“１”を設定し（Ｃ１９）、通話が行われる（Ｃ２０）。
【００３４】
図７はデータセットの説明図であり、（Ａ），（Ｂ），（Ｄ）は着信データセット、（Ｃ），（Ｅ）は検索データセットを示す。図３の（Ａ），（Ｂ）と対応させると、Ｚ＝６，Ｍ−１＝３の場合に相当する。最初に（Ａ）に示す着信データセットが着信履歴として登録されている場合に、発信者ＩＤ＝３３３３３３からの着信が１９９９年１月１日の４時４５分にあったとすると、（Ａ）の１番の領域の一番古い着信データセットが廃棄され、順次シフトして、６番の領域に（Ｂ）に示すように、発信者ＩＤ＝１１１１１１、日時＝１９９９／１／１／４：４５が着信データセットとして登録される。この場合、応答なしとすると、応答の欄は０となる。
【００３５】
そして、自動切替モードを選択し、且つ同一電話番号からの着信に対する無応答の回数Ｍを設定して、無応答回数がＭとなった時に自動切替えを行う場合、即ち、Ｓ＝１とし、同一電話番号を例えば１１１１１１とし、又時間間隔Ｐを５０分に設定した場合、（Ｂ）の着信データセットを検索し、同一電話番号１１１１１１の着信データセットを抽出して検索データセットとする。それによって、（Ｃ）に示す検索データセットが得られる。この場合、振動通知モードが継続される。
【００３６】
又同日の例えば４時５０分に電話番号１１１１１１からの着信があると、着信データセットは、図７の（Ｄ）に示すように更新される。そして、電話番号１１１１１１の着信データセットを検索し、最新の着信データセットを検索データセットとすることにより、図７の（Ｅ）に示す検索データセットが得られる。そして、無応答であると、応答の欄は０となる。
【００３７】
この状態で、例えば、同日の４時５０分に電話番号１１１１１１からの着信があると、図６のステップ（Ｃ１９）により検索データセット（ＤＡＴＡ２）は、Ｍ−１＝３個あり、又検索データセット（ＤＡＴＡ２）の１〜（Ｍ−１）は総て無応答であり、又検索データセットの最初の１番の日時は４時１５分で、今回の着信の日時は４時５０分から時間間隔Ｐ＝５０分を差し引いた時間は４時となり、今回の着信日時が最初の日時より新しいものとなるから、ステップ（Ｃ１７）に移行して、着信音通知モードに切替えて、着信音により着信を通知することになる。
【００３８】
この場合、現着信日時が同日の５時であると、前述の時間間隔Ｐ＝５０分に対して、最も古い検索データセットの時間は、４時１５分であるから、時間間隔Ｐ以上離れた時間となり、この場合の無応答回数にはカウントしない。そして、検索データセットを更新し、次の着信が５時５分であると、最も古い検索データセットの時間は４時２５分となっているから、時間間隔Ｐ内の着信であり、従って、振動通知モードから着信音通知モードに切替えることになる。
【００３９】
又図６のステップ（Ｃ１５）に於いて、時間間隔Ｐを無視した判定処理を行うことも可能である。即ち、同一電話番号からの着信に対する無応答回数のみで、設定回数以上となった時に、着信音通知モードに自動的に切替えることも可能である。
【実施例３】
【００４０】
図８は本発明の実施例３の着信通知方法のフローチャートを示し、設定時間経過により着信音通知モードに自動切替えを行う場合を示す。即ち、図５のステップ（Ｃ１）に相当するステップ（Ｄ１）で自動切替モード選択を行った場合を示し、着信音通知モード又は振動通知モードを設定した場合は、図５に示すステップ（Ｃ２）〜（Ｃ７）の制御が行われる。又自動切替モードを選択した時、時間設定するか否かを判定する（Ｄ２）。時間設定しない場合は、図５のステップ（Ｃ８）に相当する待ち受け状態とする（Ｄ３）。
【００４１】
又時間設定を行う場合、解除までの時間設定を行い（Ｄ４）、着信待ち受け経過時間を計時し（Ｄ５）、設定時間だけ経過したか否かを判定する（Ｄ６）。即ち、図１に於ける操作部６から時間設定を行う値を入力し、制御部１は、その入力内容に従ってタイマ１５に着信待ち受け時間を設定し、動作を開始する。この場合の設定時間までの残り時間を表示部１４に表示することができる。
【００４２】
そして、タイマ１５のタイムアウトにより、設定時間の経過を識別する。この設定時間の経過時は、振動通知モードから着信音通知モードに切替え（Ｄ７）、延長を行うか否かを判定する。延長を行う場合はステップ（Ｄ５）に移行し、延長を行わない場合は終了とする。この場合、振動通知モードによって設定時間の終了を通知し、操作部６から延長指示を入力することにより、振動通知モードを延長することができる。又操作部６による時間設定を、例えば、特定のキーを１回押下することにより、５分間の設定を可能とし、３０分間の時間設定を希望する場合は、６回押下し、又ステップ（Ｄ８）に於いても、そのキーを押下することにより、振動通知モードの延長を入力する構成とすることできる。
【００４３】
又振動通知モードの期間中に着信があって応答して通話が終了した場合、自動切替モードを解消して、次の着信に対して着信音通知モードに移行することができる。或いは、自動切替モードを延長することができる。
【図面の簡単な説明】
【００４４】
【図１】本発明の実施例１の要部説明図である。
【図２】本発明の実施例１の動作フローチャートである。
【図３】データセットの説明図である。
【図４】初期設定のフローチャートである。
【図５】本発明の実施例２の動作フローチャートである。
【図６】本発明の実施例２の動作フローチャートである。
【図７】データセットの説明図である。
【図８】本発明の実施例３の動作フローチャートである。
【図９】従来例の説明図である。
【図１０】従来例のフローチャートである。
【符号の説明】
【００４５】
１  制御部
２  信号処理部
３  無線部
４  送話器
５  受話器
６  操作部
７  モード選択部
８  着信音発生部
９  スピーカ
１０  駆動部
１１  振動部
１２  アンテナ
１３  メモリ
１４  表示部
【図１】
2007053813.tif 000003
【図２】
2007053813.tif 000004
【図３】
2007053813.tif 000005
【図４】
2007053813.tif 000006
【図５】
2007053813.tif 000007
【図６】
2007053813.tif 000008
【図７】
2007053813.tif 000009
【図８】
2007053813.tif 000010
【図９】
2007053813.tif 000011
【図１０】
2007053813.tif 000012